(57)【要約】【課題】平行螺子で２つの係合部品を係合した部品において、長期使用によって緩みができても螺子が脱落しない係合構造を提供する。【解決の手段】第１係合部品である台座４に第２係合部品である鼻当てパット３を平行螺子６で係止する際、平行螺子６は台座４の第１貫通孔４１側から挿入し、鼻当てパット３の揺動軸受部３１の第３貫通孔３３を経て、台座４の第２貫通孔４２に設けられた雌ねじ溝４４と先端部６４の雄ねじ溝６５が螺合しながら前進し、先端部６４が完全に第２貫通孔４２より外部に突出する迄ねじ込む。この状態では、雄ねじ溝６５と雌ねじ溝４４の係合がはずれているので、螺子６が緩む方向に回転して台座４から抜け落ちることはなくなる。【選択図】図６
2006233994.tif 000002
【特許請求の範囲】
【請求項１】
平行螺子、該平行螺子を受け入れる第１貫通孔を削孔した第一係合部ならびに該平行螺子を受け入れる第２貫通孔を削孔した第２係合部を備えた第１係合部品および上記第１係合部品の第１係合部および第２係合部の間に挿入され上記平行螺子を受け入れる第３の貫通孔を有する第２係合部品よりなる係合機構において、上記平行螺子は頭部、螺子溝の無い大径部、螺子溝が無く径の小さい縮径部および雄ねじ溝を有する先端部を順次備え、第１の貫通孔は上記平行螺子の大径部が緩挿できる大きさを有し、上記第２貫通孔は上記平行螺子の先端部の螺子溝と螺合する雌ねじ溝を備え、上記第１係合部品に上記第２係合部品を挿入し、上記平行螺子を上記第１貫通孔側から螺入した場合、上記第３の貫通孔を経て該平行螺子の先端部が上記第２貫通孔より外部に突出し、上記縮径部が上記第２貫通孔に位置して係止するように構成されていることを特徴とする係合機構。
【請求項２】
上記平行螺子の縮径部の外径は上記第２貫通孔の内径よりやや小さく構成されていることを特徴とする請求項１に記載の係合機構。
【請求項３】
上記平行螺子の頭部の内側の面から上記先端部の内側の面までの距離が第１係合部の外側の面から第２係合部の外側の面までの距離よりも若干大きくされていることを特徴とする請求項１記載の係合機構。
【請求項４】
上記第２係合部品が眼鏡枠の鼻当てパットであることを特徴とする請求項１記載の係合機構。
【請求項５】
上記第２係合部品が眼鏡枠のつるであることを特徴とする請求項１記載の係合機構。
【発明の詳細な説明】
【技術分野】
【０００１】
本発明は、２つの係合部品を平行螺子によって係止する係合機構に関し、特に、平行螺子を使用して眼鏡の鼻当てパットやつるをフレームに取り付ける係合機構に関する。
【背景技術】
【０００２】
眼鏡の鼻当てパットやつるをフレームに取り付ける係合機構には、通常、平行螺子が使用されている。ところが、眼鏡を長期間使用していると平行螺子が次第に緩み、ついにはそれが脱落して眼鏡が使用できなくなるという欠点がある。
【０００３】
そこで、多くの緩み止めの螺子が開発されている。その一例を挙げれば、１本の雄ねじに２つの部分的にピッチの異なる螺子溝を形成し、雌ねじに螺合した雄ねじの戻りを阻止する力が働くようにしている。
【特許文献１】特開平０６−２４１２１９号公報
【発明の開示】
【発明が解決しようとする課題】
【０００４】
上記特開平０６−２４１２１９号公報に開示されている眼鏡枠のヒンジとテンプルとを連結する緩み止め小螺子は非常に小さいので、１本の螺子に２カ所のピッチの異なる螺子溝をタッピングによって製作するのは非常に精度を要求される技術であり、万一２カ所のピッチの異なる螺子溝の位相がずれた場合、この雄螺子を雌螺子に螺合するのが困難となるという問題が発生する。
【課題を解決するための手段】
【０００５】
本発明は、２つの係合部品を係止している平行螺子が緩みがあっても脱落しない係合機構を安価に提供することを目的とする。
【０００６】
本発明の係合機構は、平行螺子、該平行螺子を受け入れる第１貫通孔を削孔した第一係合部ならびに該平行螺子を受け入れる第２貫通孔を削孔した第２係合部を備えた第１係合部品および上記第１係合部品の第１係合部および第２係合部の間に挿入され上記平行螺子を受け入れる第３の貫通孔を有する第２係合部品よりなる係合機構において、上記平行螺子は頭部、螺子溝の無い大径部、螺子溝が無く径の小さい縮径部および雄ねじ溝を有する先端部を順次備え、第１の貫通孔は上記平行螺子の大径部が緩挿できる大きさを有し、上記第２貫通孔は上記平行螺子の先端部の螺子溝と螺合する雌ねじ溝を備え、上記第１係合部品に上記第２係合部品を挿入し、上記平行螺子を上記第１貫通孔側から螺入した場合、上記第３の貫通孔を経て該平行螺子の先端部が上記第２貫通孔より外部に突出し、上記縮径部が上記第２貫通孔に位置して係止するように構成されていることを特徴とするものである。
【０００７】
上記平行螺子の縮径部の外径は上記第２貫通孔の内径即ち雌ねじ溝の山径よりやや小さく構成されているので、この縮径部は第１係合部品の雌ねじ溝とは固く嵌合せず、フリーの状態にある。
【０００８】
上記平行螺子の頭部の内側から上記先端部の内側までの距離が第１係合部の外側から第２係合部の外側までの距離よりも若干大きくされているので、雄ねじ溝を有する先端部が第２貫通孔の外側に突出して係止された状態では、先端部を雌ねじ溝方向に押し込まない限り、突出部の雄ねじ溝と第２貫通孔の雌ねじ溝とは螺合しない。従って、第１係合部品と第２係合部品の係止状態は、たとえ外部からの振動等により平行螺子が緩む方向に回転して脱落することにより分解することはなくなる。
【０００９】
上記第１係合部品の具体例としては眼鏡枠に鼻当てパットを取り付ける台座やつるを取り付けるためのヒンジ部が該当し、第２係合部品の具体例としては鼻当てパットやつるが該当する。
【発明の効果】
【００１０】
本発明の係合機構は第１係合部品と第２係合部品を平行螺子で係止した場合、平行螺子の雄ねじ溝を切った先端部が雌ねじ溝を切った第２貫通項孔の外部に突出してしまうので、たとえ振動を与えても再び雌ねじ溝と雄ねじ溝が再結合することは無くなり、従って、係止した螺子が緩む方向に回転して脱落する虞は無くなる。
【００１１】
上記平行螺子の頭部の内側から上記先端部の内側までの距離が第１係合部の外側の面から第２係合部の外側の面までの距離よりも若干大きくされているので、平行螺子の頭部の内側の面と第１係合部の外側の面との間または先端部の内側の面と第２係合部の外側の面との間に隙間が生じ、雄ねじ溝と雌ねじ溝との再結合をさらに防止することができる。
【発明を実施するための最良の形態】
【００１２】
本発明を実施するための最良の形態を実施例によって説明する。
【実施例１】
【００１３】
図１、図２は眼鏡枠の鼻当てパット部の拡大図であって、１は眼鏡フレーム、２はブリッジ、３は鼻当てパット、４は台座、５は台座をフレーム１に取り付けるための取り付け支柱、６は平行螺子である。
【００１４】
図３は台座の部分の拡大側面図、図４は台座の裏面図であ。台座４の左右側面即ち第１係合部４ａには第１貫通孔４１が削孔され、第２係合部４ｂには第２貫通孔４２が削孔さられている。裏面には空洞４３が掘削されている。
【００１５】
図５は平行螺子６の側面図で、６１はドライバー用の溝を持つ頭部、６２は第１貫通孔４１に緩挿できる外径を持つ大径部、６３は第２貫通孔４２の内径よりもやや小さな外径を持つ縮径部、６４は第２貫通孔４２の雌ねじ溝４４に螺合できる雄ねじ溝６５を持つ先端部である。
【００１６】
図６は第１係合部品である台座４に第２係合部品である鼻当てパット３を平行螺子６で係止した状態を示す断面図である。鼻当てパット３には揺動軸受部３１が接着パット３２を介して接着剤で接合されている。揺動軸受部３１には第３貫通孔３３が明けられている。第３貫通孔３３の内径は平行螺子６の大径部６２の外径よりかやや大きめに作られているので、鼻当てパット３は台座４に対して自由に揺動することができる。
【００１７】
図６のように平行螺子６を係止した状態では、先端部６４は台座４の第２貫通孔４２の外側に突出している。従って第２貫通孔の雌ねじ溝４４のある位置には平行螺子６の縮径部６３が存在するので平行螺子６と台座４とは自由に回動しうる状態にある。また、平行螺子６の頭部６１の内側の面から先端部６４の内側の面までの距離Ｌ１は第１係合部４ａの外側の面から第２係合部４ｂの外側の面までの距離Ｌ２よりも大きいので、頭部６１の内側の面と第１係合部４ａの外側の面との間または先端部６４の内側の面と第２係合部４ｂの外側の面との間には若干の隙間が生じ、雄ねじ溝６５と雌ねじ溝４４との再結合を妨げる役目をしている。
【００１８】
平行螺子６を台座４から抜き取るには、先端部６４を第２貫通孔４２の方向に押し込みながら平行螺子６を緩める方向に回転させれば、雄ねじ溝６５と雌ねじ溝４４とは再結合して螺子６を抜き取ることができる。
【産業上の利用可能性】
【００１９】
本発明の係止機構は眼鏡の部品だけでなく２つの係合部品を平行螺子で係止する構造のものには全て応用することができる。例えば、ドアの回転ノブの頭部をシャフトに取り付ける際に利用することができる。
【図面の簡単な説明】
【００２０】
【図１】眼鏡の鼻当てパット部の拡大正面図。
【図２】図１の側面図。
【図３】鼻当てパットの取付台座の側面図
【図４】同背面図。
【図５】平行螺子の側面図。
【図６】鼻当てパットの取付構造を示す一部断面図。
【符号の説明】
【００２１】
１  眼鏡フレーム
２  ブリッジ部
３  鼻当てパット
４  台座
５  取付支柱
６  平行螺子
【図１】
2006233994.tif 000003
【図２】
2006233994.tif 000004
【図３】
2006233994.tif 000005
【図４】
2006233994.tif 000006
【図５】
2006233994.tif 000007
【図６】
2006233994.tif 000008